(57)【要約】      （修正有）【課題】ルーバー材同士の間隔を均一に維持しながらルーバー材の移動及び間隔の調整を簡便に行え、しかも任意の位置・間隔においてルーバー材を連動して回転させて光や風の通過量を自由に調節できるルーバー装置の提供。【解決手段】各ルーバー材の上部取付具９、下部取付具１０、上部リンク６、及び下部リンク７と、各ルーバー材の屋内側に配置したサイドリンク８とを備え、上部ガイドレール４と下部ガイドレール５は、上部取付具及び下部取付具をそれぞれガイドレール長手方向に移動自在に保持するものであり、上部取付具及び下部取付具は、各ルーバー材を垂直軸回りに回転自在に保持しており、上部リンクと下部リンクは、ガイドレール長手方向に伸縮自在に上部取付具及び下部取付具に各々取付けてあり、サイドリンクは、ガイドレール長手方向に伸縮自在なものであり、サイドリンクに各ルーバー材の屋内側端部が垂直軸回りに回転自在に保持してある。【選択図】      図１
2006328810.tif 000002
【特許請求の範囲】
【請求項１】
複数のルーバー材と、躯体に固定した上部ガイドレール及び下部ガイドレールと、各ルーバー材の上下の端面に対向する位置にそれぞれ配置した上部取付具、下部取付具、上部リンク、及び下部リンクと、各ルーバー材の屋内側に配置したサイドリンクとを備え、上部ガイドレールと下部ガイドレールは、上部取付具及び下部取付具をそれぞれガイドレール長手方向に移動自在に保持するものであり、上部取付具及び下部取付具は、各ルーバー材を垂直軸回りに回転自在に保持しており、上部リンクと下部リンクは、ガイドレール長手方向に伸縮自在に上部取付具及び下部取付具に各々取付けてあり、サイドリンクは、ガイドレール長手方向に伸縮自在なものであり、サイドリンクに各ルーバー材の屋内側端部が垂直軸回りに回転自在に保持してあることを特徴とする縦型ルーバー装置。
【請求項２】
複数のルーバー材と、躯体に固定した上部ガイドレール及び下部ガイドレールと、各ルーバー材の上部及び下部の屋内側端部にそれぞれ配置した上部持出吊具及び下部持出吊具と、各ルーバー材の上下の端面に対向する位置にそれぞれ配置した上部リンク及び下部リンクと、各ルーバー材の屋内側に配置したサイドリンクとを備え、上部ガイドレールと下部ガイドレールは、上部持出吊具と下部持出吊具をそれぞれガイドレール長手方向に移動自在に保持するものであり、上部持出吊具及び下部持出吊具は、各ルーバー材を垂直軸回りに回転自在に保持しており、上部リンクと下部リンクは、ガイドレール長手方向に伸縮自在なものであり、上部リンクと下部リンクに各ルーバー材の上下端部が垂直軸回りに回転自在に保持してあり、サイドリンクは、ガイドレール長手方向に伸縮自在なものであり、サイドリンクに各ルーバー材の屋内側端部が垂直軸回りに回転自在に保持してあることを特徴とする縦型ルーバー装置。
【発明の詳細な説明】
【技術分野】
【０００１】
本発明は、縦型ルーバー装置に関する。
【背景技術】
【０００２】
アパートやマンションのベランダには、外からの視線を遮ってプライバシーを保護したり、強い日差しを和らげたりする目的で、目隠し材を設置することがある。そうした目隠し材は、必ずしも常時必要なものでもなく、天気の良い日に布団を干すときなど却って邪魔になるので、固定して設置したものより、位置を移動できたりコンパクトに仕舞えたりするものが望まれている。特許文献１には、窓の外壁に取付けた枠体の上下枠間に、複数の縦長のルーバー材を左右に移動自在且つ中心軸周りに回転自在に架設し、該複数のルーバー材を帯紐で繋いであり、先頭のルーバー材を手で持って移動させることでカーテンのように開閉でき、且つルーバー材を回転させることで光や風の通過量を可変できるようにした装置が開示されている。
【特許文献１】特開平２−２４３８９６号公報
【発明の開示】
【発明が解決しようとする課題】
【０００３】
しかし上記公報記載の装置は、各ルーバー材を帯紐で繋いだものであるため、ルーバー材の位置を全体的に移動させようとすれば、ルーバー材同士の間隔が広い所と狭い所ができて、機能性が低下する。また、ルーバー材同士の間隔が最大限に開き、帯紐がピンと張った状態でなければ、全てのルーバー材を連動して回転させることができない。本発明はこうした実情に鑑み、ルーバー材同士の間隔を均一に維持しながらルーバー材の移動及び間隔の調整を簡便に行え、しかも任意の位置・間隔においてルーバー材を連動して回転させて光や風の通過量を自由に調節できるルーバー装置の提供を目的とする。
【課題を解決するための手段】
【０００４】
上記の課題を達成するために請求項１記載の発明による縦型ルーバー装置は、複数のルーバー材と、躯体に固定した上部ガイドレール及び下部ガイドレールと、各ルーバー材の上下の端面に対向する位置にそれぞれ配置した上部取付具、下部取付具、上部リンク、及び下部リンクと、各ルーバー材の屋内側に配置したサイドリンクとを備え、上部ガイドレールと下部ガイドレールは、上部取付具及び下部取付具をそれぞれガイドレール長手方向に移動自在に保持するものであり、上部取付具及び下部取付具は、各ルーバー材を垂直軸回りに回転自在に保持しており、上部リンクと下部リンクは、ガイドレール長手方向に伸縮自在に上部取付具及び下部取付具に各々取付けてあり、サイドリンクは、ガイドレール長手方向に伸縮自在なものであり、サイドリンクに各ルーバー材の屋内側端部が垂直軸回りに回転自在に保持してあることを特徴とする。
【０００５】
請求項２記載の発明による縦型ルーバー装置は、複数のルーバー材と、躯体に固定した上部ガイドレール及び下部ガイドレールと、各ルーバー材の上部及び下部の屋内側端部にそれぞれ配置した上部持出吊具及び下部持出吊具と、各ルーバー材の上下の端面に対向する位置にそれぞれ配置した上部リンク及び下部リンクと、各ルーバー材の屋内側に配置したサイドリンクとを備え、上部ガイドレールと下部ガイドレールは、上部持出吊具と下部持出吊具をそれぞれガイドレール長手方向に移動自在に保持するものであり、上部持出吊具及び下部持出吊具は、各ルーバー材を垂直軸回りに回転自在に保持しており、上部リンクと下部リンクは、ガイドレール長手方向に伸縮自在なものであり、上部リンクと下部リンクに各ルーバー材の上下端部が垂直軸回りに回転自在に保持してあり、サイドリンクは、ガイドレール長手方向に伸縮自在なものであり、サイドリンクに各ルーバー材の屋内側端部が垂直軸回りに回転自在に保持してあることを特徴とする。
【発明の効果】
【０００６】
請求項１記載の発明による縦型ルーバー装置は、複数のルーバー材が上部取付具と下部取付具によりガイドレール長手方向に移動自在に且つ垂直軸回りに回転自在に取付けてあり、且つ各ルーバー材の上下の端面に対向する位置に上部リンクと下部リンクを配置し、上部リンクと下部リンクをガイドレール長手方向に伸縮自在に上部取付具及び下部取付具に各々取付けるとともに、各ルーバー材の屋内側にガイドレール長手方向に伸縮自在なサイドリンクを配置し、サイドリンクに各ルーバー材の屋内側端部を垂直軸回りに回転自在に保持したので、ルーバー材同士の間隔を均一に維持しながらルーバー材の移動及び間隔の調整を簡便に行え、しかも任意の位置・間隔においてルーバー材を連動して回転させて角度を自由に調節できる。したがって、ルーバー材の間隔を広げた状態でルーバー材の角度を適宜調整することにより、視線を遮りながら光と風を調節して屋内に取り込むことができる他、ルーバー材をガイドレール端部に寄せて収納することで大開口をつくり開放感を味わうこともできる。また本発明の縦型ルーバー装置は、サイドリンクがルーバー材の屋内側に配置してあるので、屋外側にサイドリンクが露出せず意匠性が良好である。
【０００７】
請求項２記載の発明による縦型ルーバー装置は、複数のルーバー材が上部持出吊具と下部持出吊具によりガイドレール長手方向に移動自在に且つ垂直軸回りに回転自在に取付けてあり、且つ各ルーバー材の上下の端面に対向する位置に、ガイドレール長手方向に伸縮自在な上部リンクと下部リンクを配置し、上部リンクと下部リンクに各ルーバー材の上下端部を垂直軸回りに回転自在に保持するとともに、各ルーバー材の屋内側にガイドレール長手方向に伸縮自在なサイドリンクを配置し、サイドリンクに各ルーバー材の屋内側端部を垂直軸回りに回転自在に保持したので、ルーバー材同士の間隔を均一に維持しながらルーバー材の移動及び間隔の調整を簡便に行え、しかも任意の位置・間隔においてルーバー材を連動して回転させて角度を自由に調節できる。したがって、ルーバー材の間隔を広げた状態でルーバー材の角度を適宜調整することにより、視線を遮りながら光と風を調節して屋内に取り込むことができる他、ルーバー材をガイドレール端部に寄せて収納することで大開口をつくり開放感を味わうこともできる。また本発明の縦型ルーバー装置は、サイドリンクがルーバー材の屋内側に配置してあるので、屋外側にサイドリンクが露出しない上に、上部持出吊具と下部持出吊具によりルーバー材をガイドレールの屋外側に持ち出して取付けたことで、ガイドレールもルーバー材に隠れるため、意匠性が一層良好となる。また本発明の縦型ルーバー装置は、柱や壁面に上下のガイドレールを取付け、ガイドレールから持ち出す形でルーバー材を取付けることで、天井や床面の高さと関係なく、必要な高さ範囲だけにルーバー材を配設することができる。
【発明を実施するための最良の形態】
【０００８】
以下、本発明の実施の形態を図面に基づいて説明する。図１〜図８は本発明の縦型ルーバー装置の第一実施形態を示している。本実施形態は、アパートやマンションのベランダに設置した場合を示しており、図６〜図８に示すように、上の階のベランダの下面２に上部ガイドレール４が左右方向に取付けてあり、ベランダの床上面３に下部ガイドレール５が上部ガイドレール４に対向して左右方向に取付けてあり、上部ガイドレール４と下部ガイドレール５の間に、複数の縦長板状のルーバー材１，１…がガイドレール長手方向に移動自在に且つ垂直軸回りに回転自在に取付けてある。ルーバー材１は全部で３０枚設置してあり、１０枚ずつがルーバー材１の上下端面に対向する位置にそれぞれ配置した上部リンク６と下部リンク７、及びルーバー材１の屋内側に配置したサイドリンク８により連結してある。ルーバー材１の上下寸法は約２６００ｍｍとなっており、上の階のベランダの下面２とベランダの床上面３の間の略全域をルーバー材１で隠せるようにしてある。
【０００９】
上部ガイドレール４は、図１に示すように、下部に下面側に開口する中空のレール部１４を有しており、上部には溝状の躯体取付部１５を有し、上階のベランダの下面２に固定したブラケット１６にビス１７で固定してある。下部ガイドレール５は、図２に示すように、上面が開口した中空のレール部１８を有し、ベランダの床上面３に載置してビス１９で固定してある。
【００１０】
ルーバー材１は、帯状の木の板で形成してあり、図３に示すように、屋外側端部の右側面と屋内側端部の左側面とに全長に亘って切除部２０を設けてある。ルーバー材１の上端面の中心位置には、上部取付具９を設けてある。上部取付具９は、図１に示すように、ルーバー材１への取付金具２１と、取付金具２１の上面に立設した吊下げ軸２２と、吊下げ軸２２の上端部に回転自在に軸支した吊車部２３とを有し、吊車部２３を上部ガイドレール４のレール部１４内に収容してルーバー材１を上部ガイドレール４から吊下げている。ルーバー材１の下端面の中心位置には、下部取付具１０を設けてある。下部取付具１０は、図２に示すように、ルーバー材への取付金具２１と、取付金具の下面に垂下して設けた下部ガイド軸２４と、下部ガイド軸２４の下端部に軸支したガイドローラー２５とを有し、ガイドローラー２５を下部ガイドレール５のレール部１８に係合している。
【００１１】
上部リンク６は、図３〜図５に示すように、二つのリンクアーム２６ａ，２６ｂをＸ字状に交差して重ね、ルーバー材１の上端面に設けたリンク取付金具２７に、吊下げ軸２２回りに回転自在に軸支するとともに、各リンクアーム２６ａ，２６ｂの先端部を隣のルーバー材のリンクアーム２６ａ，２６ｂの先端部と連結ピン２８で順次連結して、ガイドレール４長手方向に伸縮自在なパンタグラフ状に形成してある。下部リンク７も、上部リンク６と同様に、二つのリンクアーム２６ａ，２６ｂをＸ字状に交差して、ルーバー材１の下端面に設けたリンク取付金具２７に、下部ガイド軸２４回りに回転自在に軸支し、各リンクアーム２６ａ，２６ｂの先端部を連結ピン２８で順次連結して、ガイドレール５長手方向に伸縮するパンタグラフ状に形成してある。サイドリンク８も上部リンク６と同じように、Ｘ字状に交差したリンクアーム２６ａ，２６ｂの先端部を連結ピン２８で順次連結してガイドレール４，５長手方向に伸縮自在なパンタグラフ状に形成してあり、リンクアームの各回転支点部２９には、図１に示すように、側面視コ字形の連結金具３０がルーバー材１に向けて突出して設けてある。各ルーバー材１は、屋内側端面の上部と下部にリンク取付金具３１が埋め込み設置してあり、リンク取付金具３１がサイドリンク８の連結金具３０に対して上下方向のピン３２で回転自在に連結してある。
【００１２】
本縦型ルーバー装置は以上のように構成され、右端ないし左端のルーバー材１を手で持ち、ガイドレール４，５の長手方向に押したり引いたりすれば、上部リンク４と下部リンク７とサイドリンク８が同時に伸縮し、ルーバー材１同士の間隔が一様に拡大・縮小する。また図３の状態で、一つのルーバー材１を手で持って回転させるか、サイドリンク８を手で持ってガイドレール長手方向に動かせば、サイドリンク８で連結した複数のルーバー材１，１…が垂直軸（吊下げ軸２２、下部ガイド軸２４）回りに連動して回転する。したがって本縦型ルーバー装置は、図３に示すように、ルーバー材１の間隔を広げた状態でルーバー材１の角度を適宜調整すれば、外部からの視線を遮りながら光と風を調節して屋内に取り込むことができ、また図５に示すようにルーバー材１の間隔を狭め、各ルーバー材１をガイドレール４，５端部に寄せれば、図８に示すように大開口が得られ開放感を味わうことができる。さらに本縦型ルーバー装置は、図４に示すように、各ルーバー材１をガイドレール４，５と平行な向きまで回転させることができ、このとき各ルーバー材１は切除部２０を形成した側端部同士が重なり合って面一状に配設される。
【００１３】
図９〜図１５は、本発明の縦型ルーバー装置の第二実施形態を示している。本実施形態では、図１４に示すように、ベランダの床面３より３本の柱１１を左右方向に間隔を置いて立設し、柱１１の屋外側面に上部ガイドレール４と下部ガイドレール５を左右方向に平行に架設してあり、ガイドレール４，５の屋外側に持ち出す形で複数のルーバー材１，１…を取付けている。ルーバー材１にはアルミ製の押出成形パネルを使用しており、ルーバー材１の横幅は第一実施形態のものよりも広いものとなっている。ルーバー材１の上下寸法は約１６００ｍｍと第一実施形態のものより短くなっており、立っている人が隠れる程度の範囲でルーバー材１を配置している。柱１１は、肉厚が１２ｍｍで幅が５０ｍｍのフラットバーを使用しており、フラットバーの幅方向を屋内外方向に向けて配置してある。
【００１４】
上部ガイドレール４には、図９に示すように、上部持出吊具１２がガイドレール長手方向に移動自在に保持してある。上部持出吊具１２は、屋内側端部に設けた吊車部２３を上部ガイドレール４のレール部１４に係合してあり、上部ガイドレール４と直角な向きのままでガイドレール長手方向に移動する。上部持出吊具１２の屋外側端部にはルーバー材取付部３３を有しており、ルーバー材取付部３３に、各ルーバー材の屋内側端面の上部に埋め込み設置した連結金具３４を、上下方向のピン３５で回転自在に連結してある。
下部ガイドレール５には、図１０に示すように、下部持出吊具１３がガイドレール長手方向に移動自在に保持してある。下部持出吊具１３は、屋内側端部に垂直軸３６で軸支したガイドローラー２５を左右方向に二つ並べて有しており、ガイドローラー２５を下部ガイドレール５のレール部１８に係合してある。下部持出吊具１３の屋外側端部にはルーバー材取付部３３を有しており、ルーバー材取付部３３に、各ルーバー材１の屋内側端面の下部に埋め込み設置した連結金具３４を、上下方向のピン３５で回転自在に連結してある。ガイドローラー２５を軸支している垂直軸３６は、下部持出吊具１３に上下方向に移動可能に取付けると共に圧縮バネ３７で上向きに付勢してあり、これにより上下のガイドレール４，５の間隔の誤差や、上下の持出吊具１２，１３とルーバー材１との連結部等のガタを圧縮バネ３７が吸収するため、ルーバー材１の横移動が常にスムーズに行える。
【００１５】
各ルーバー材１の上下の端面に対向する位置には、上部リンク６と下部リンク７がそれぞれ配置してある。上部リンク６と下部リンク７は、第一実施形態のものと同様に、Ｘ字状に交差した多数のリンクアーム２６ａ，２６ｂを連結ピン２８で連結して、ガイドレール長手方向に伸縮自在なパンタグラフ状に形成してあり、各リンクアーム２６ａ，２６ｂの回転支点部２９が各ルーバー材１の上下端面の中心部に連結してある。各ルーバー材１の屋内側の上部と下部にはサイドリンク８が配置してあり、サイドリンク８に各ルーバー材１の屋内側端部を上下方向のピン３２で連結してある。なおサイドリンク８は、第一実施形態のものと同様に構成したものである。
【００１６】
以上のように構成した縦型ルーバー装置は、第一実施形態のものと同様に、上部リンク６と下部リンク７とサイドリンク８が伸縮することにより各ルーバー材１の間隔を調整自在であり、また各ルーバー材１が上下の持出吊具１２，１３の先端部を支点として連動して回転し、角度を自由に調整できる。各ルーバー材１は、ガイドレール４，５と平行な向きまで回転させて面一状に配置することもでき、このとき上下のガイドレール４，５とサイドリンク８がルーバー材１の屋内側に隠れ、意匠性が極めて良好となる。また、ルーバー材１の上端部をベランダの天井付近まで延ばさず、せいぜい人影が隠れる程度の長さにルーバー材１を短くしたので、ルーバー材１を面一状に配置したときでも圧迫感が少なく、またルーバー材１が軽くなって開閉が容易となる。さらに、上部ガイドレール４と下部ガイドレール５は、レール部１４，１８の開口部を下面に設けてあるので、レール部１４，１８内にゴミが入らない。
【００１７】
本発明は以上に述べた実施形態に限定されない。ルーバー材の数、形状、材質等は適宜変更可能である。本発明の縦型ルーバー装置の設置場所は、ベランダ等に限定されず、建物の開口部に広く用いることができる。サイドリンクは、第一、第二実施形態では各ルーバー材の屋内側の上部と下部に二つ設けてあるが、一つだけ設けてもよい。
【図面の簡単な説明】
【００１８】
【図１】第一実施形態に係る縦型ルーバー装置の上部側面図である。
【図２】第一実施形態に係る縦型ルーバー装置の下部側面図である。
【図３】第一実施形態に係る縦型ルーバー装置の部分平面図である。
【図４】第一実施形態に係る縦型ルーバー装置の部分平面図であって、各ルーバー材をガイドレールと平行な向きに回転した状態を示している。
【図５】第一実施形態に係る縦型ルーバー装置の部分平面図であって、各ルーバー材の間隔を最も狭めた状態を示している。
【図６】第一実施形態に係る縦型ルーバー装置の全体側面図である。
【図７】第一実施形態に係る縦型ルーバー装置の屋内側の全体正面図であって、ルーバー材の間隔を最も広げた状態を示している。
【図８】第一実施形態に係る縦型ルーバー装置の屋内側の全体正面図であって、ルーバー材の間隔を最も狭めた状態を示している。
【図９】第二実施形態に係る縦型ルーバー装置の上部側面図である。
【図１０】第二実施形態に係る縦型ルーバー装置の下部側面図である。
【図１１】第二実施形態に係る縦型ルーバー装置の部分平面図である。
【図１２】第二実施形態に係る縦型ルーバー装置の部分平面図であって、各ルーバー材の間隔を最も狭めた状態を示している。
【図１３】第二実施形態に係る縦型ルーバー装置の全体側面図である。
【図１４】第二実施形態に係る縦型ルーバー装置の屋内側の全体正面図であって、ルーバー材の間隔を最も広げた状態を示している。
【図１５】第二実施形態に係る縦型ルーバー装置の屋内側の全体正面図であって、ルーバー材の間隔を最も狭めた状態を示している。
【符号の説明】
【００１９】
１  ルーバー材
２  上階のベランダ下面（躯体）
３  ベランダの床上面（躯体）
４  上部ガイドレール
５  下部ガイドレール
６  上部リンク
７  下部リンク
８  サイドリンク
９  上部取付具
１０  下部取付具
１１  柱（躯体）
１２  上部持出吊具
１３  下部持出吊具
【図１】
2006328810.tif 000003
【図２】
2006328810.tif 000004
【図３】
2006328810.tif 000005
【図４】
2006328810.tif 000006
【図５】
2006328810.tif 000007
【図６】
2006328810.tif 000008
【図７】
2006328810.tif 000009
【図８】
2006328810.tif 000010
【図９】
2006328810.tif 000011
【図１０】
2006328810.tif 000012
【図１１】
2006328810.tif 000013
【図１２】
2006328810.tif 000014
【図１３】
2006328810.tif 000015
【図１４】
2006328810.tif 000016
【図１５】
2006328810.tif 000017